【手続補正書】
【提出日】平成29年7月28日(2017.7.28)
【手続補正１】
【補正対象書類名】特許請求の範囲
【補正対象項目名】全文
【補正方法】変更
【補正の内容】
【特許請求の範囲】
【請求項１】
エーロフォイル（２３、１２４）と、
前記エーロフォイル（２３、１２４）に連結されたシャンク（２５、１２６）と、
エンジェルウイング（１２２、２２２、２５０、３２２、３５０）と、
を含むターボ機械バケットであって、
前記エンジェルウイングは、ベース部と、本体部と、軸方向に延びる先端とを含み、
前記エンジェルウイングは、前記ベース部によって前記シャンクに連結し、
前記本体部は、前記軸方向に延びる先端によって、前記ベース部に接続され、
前記軸方向に延びる先端は、基礎的な先端（２５２）と、封止面と、付着材料セクション（２５６）とを有し、
前記軸方向に延びる先端は、複数の阻止装置（１３０、２３０、２３４、３３０、３３４、４３４）で封止するようにサイズ設定され、
前記基礎的な先端（２５２）および前記封止面は、初期軸方向範囲（２５４）を有し、
前記軸方向に延びる先端は、前記ターボ機械バケットの回転軸と平行であり、
前記付着材料セクション（２５６）は、前記基礎的な先端（２５２）および前記封止面の前記初期軸方向範囲（２５４）を延ばす、
ターボ機械バケット。
【請求項２】
前記軸方向に延びる先端（２２８）は、前記付着材料セクション（２５６）なしの前記基礎的な先端（２５２）と実質上同じ半径方向の高さ（Ｒ）を有し、
前記実質上同じ半径方向の高さ（Ｒ）は、前記軸方向に延びる先端（２２８）に垂直である、
請求項１に記載のターボ機械バケット。
【請求項３】
前記付着材料セクション（２５６）は、除去可能である、請求項１に記載のターボ機械バケット。
【請求項４】
前記付着材料セクション（２５６）は、金属ブロック、金属被覆、またはセラミック被覆のうちの１つの形態にあるブロック状の材料を含む、請求項１に記載のターボ機械バケット。
【請求項５】
前記軸方向に延びる先端（２２８、３２８、３５２、４２８）は、ノズルとターボ機械フレームのダイアフラムのうちの一方から延びる前記阻止装置（１３０、２３０、２３４、３３０、３３４、４３４）で封止するように構成される、請求項１に記載のターボ機械バケット。
【請求項６】
前記複数の阻止装置（１３０、２３０、２３４、３３０、３３４、４３４）のそれぞれは、異なるターボ機械の中にある、請求項１に記載のターボ機械バケット。
【請求項７】
ターボ機械バケット（１２０）のエンジェルウイング（１２２、２２２、２５０、３２２、３５０）を修正する方法であって、
前記エンジェルウイングを用意するステップであって、
前記エンジェルウイングは、ベース部と、本体部と、軸方向に延びる先端とを含み、
前記本体部は、前記軸方向に延びる先端によって、前記ベース部に接続され、
前記軸方向に延びる先端は、基礎的な先端（２５２）と封止面とを有し、
前記基礎的な先端（２５２）と封止面は、軸方向範囲（２４８）を有し、
前記エンジェルウイングがシャンクに取り付けられると、前記基礎的な先端（２５２）と封止面は、前記ターボ機械バケット（１２０）の前記シャンクに対して、前記ターボ機械バケット（１２０）の回転軸の方向に延びる、
ステップと、
異なる軸方向範囲（２３２、２３６、３３２、３３６、４３６）を有する複数の阻止装置（１３０、２３０、２３４、３３０、３３４、４３４）による封止に対処するために、前記エンジェルウイングの前記軸方向に延びる先端の前記軸方向範囲（２４８）を修正するステップと、
を含み、
前記修正するステップは、前記基礎的な先端（２５２）と封止面を延ばすために、材料セクションを前記軸方向に延びる先端に取り付けるステップを含む、
方法。
【請求項８】
前記取り付けの後の前記軸方向に延びる先端（２２８）は、前記取り付けの前の前記軸方向に延びる先端（２２８）と実質上同じ半径方向の高さ（Ｒ）を有し、
前記同じ半径方向の高さ（Ｒ）は、前記ターボ機械バケット（１２０）の前記回転軸に垂直な方向に延びる、
請求項７に記載の方法。
【請求項９】
前記材料セクション（２５６）の前記取り付けは、前記軸方向に延びる先端（２２８、３２８、３５２、４２８）を洗練化することを含む、請求項７に記載の方法。
【請求項１０】
前記付着材料セクション（２５６）は、除去可能である、請求項７に記載の方法。
【請求項１１】
前記付着材料セクション（２５６）は、金属ブロック、金属被覆、またはセラミック被覆のうちの１つの形態にあるブロック状の材料を含む、請求項７に記載の方法。
【請求項１２】
前記修正の前に、前記エンジェルウイング（２５０）が最初にサイズ設定された第１の軸方向範囲（２３２）を有する第１の阻止装置（２３０）を含む第１のターボ機械フレーム（１３２）から前記ターボ機械バケット（１２０）を除去することをさらに含む、請求項７に記載の方法。
【請求項１３】
前記修正の後で、前記第１の軸方向範囲（２３２）とは異なる第２の軸方向範囲（２３６）を有する前記第２の阻止装置（２３４）を有する第２のターボ機械フレーム（１３２）の中に前記ターボ機械バケット（１２０）を設置することをさらに含み、前記修正をしたエンジェルウイング（２２２）は、第２のターボ機械の動作中に第２の阻止装置（２３４）で封止するように構成される、請求項１２に記載の方法。
【請求項１４】
前記修正の前に前記エンジェルウイング（２５０）がサイズ設定された阻止装置軸方向範囲（２３２／２３６）とは異なる阻止装置軸方向範囲（２３６／２３２）を有する阻止装置（２３０／２３４）を有するターボ機械（１３２）中に前記ターボ機械バケット（１２０）を設置することをさらに含み、前記修正をしたエンジェルウイング（２２２）は、前記ターボ機械の動作中に前記阻止装置（２３０、２３４）で封止するように構成される、請求項７に記載の方法。
【請求項１５】
ターボ機械バケット（１２０）のエンジェルウイング（３５０）を修正する方法であって、
複数の阻止装置（３３０、３３４）で封止するようにサイズ設定された第１の軸方向範囲（２４８、３４８、３５４）を有する軸方向に延びる先端（３５２）を有するエンジェルウイング（３５０）を有するターボ機械バケット（１２０）を用意するステップであって、
前記複数の阻止装置（３３０、３３４）が、第１の阻止装置軸方向範囲を有する阻止装置と、第２の阻止装置軸方向範囲を有する阻止装置を有する、
ステップと、
前記第１の阻止装置軸方向範囲（３３６）よりも小さい第２の阻止装置軸方向範囲を有する前記阻止装置を受け入れるために、前記エンジェルウイング（３５０）の前記軸方向に延びる先端（３５２）の前記第１の軸方向範囲（３５４）を修正するステップと、
前記第２の阻止装置軸方向範囲（３３２）を有する前記阻止装置を受け入れるために、前記軸方向に延びる先端（３５２）の一部を除去するステップと、
を含み、
前記軸方向に延びる先端は、前記ターボ機械バケットの回転軸と平行である、
方法。
【請求項１６】
前記軸方向に延びる先端（３２８）は、前記除去の前の前記軸方向に延びる先端（３５２）と実質上同じ半径方向の高さ（Ｒ）を有し、
前記実質上同じ半径方向の高さ（Ｒ）は、前記軸方向に延びる先端（２２８）に垂直である、
請求項１５に記載の方法。
【請求項１７】
前記用意するステップは、前記修正の前に、前記エンジェルウイング（３５０）が最初にサイズ設定された前記第１の軸方向範囲を有する阻止装置（３３０、３３４）を含む第１のターボ機械フレーム（１３２）から前記ターボ機械バケット（１２０）を除去するステップを含む、請求項１５に記載の方法。
【請求項１８】
前記エンジェルウイング（３５０）が前記ターボ機械の動作中に前記第２の阻止装置軸方向範囲を有する阻止装置で封止するように構成され、
前記修正の後で、前記第２の阻止装置軸方向範囲を有する阻止装置を有するターボ機械フレーム（１３２）の中に前記ターボ機械バケット（１２０）を設置するステップをさらに含む、
請求項１５に記載の方法。
【請求項１９】
ターボ機械バケットのエンジェルウイングを修正する方法であって、
前記第１のターボ機械から前記ターボ機械バケット（１２０）を除去するステップであって、
前記バケットは、第１のターボ機械の第１の阻止装置で封止するようにサイズ設定された前記エンジェルウイング（３２２）を有し、
前記第１の阻止装置は、第１の阻止装置軸方向範囲を有する、
ステップと、
前記第１の阻止装置軸方向範囲とは異なる第２の阻止装置軸方向範囲（４３６）を有する第２の阻止装置（４３４）によるシールを構成するために前記ターボ機械バケット（１２０）の前記エンジェルウイング（３２２）の軸方向に延びる先端の軸方向範囲を修正するステップと、
第２の阻止装置軸方向範囲（４３６）を有する前記第２の阻止装置（４３４）を有する前記第２のターボ機械の中に前記ターボ機械バケット（１２０）を設置するステップであって、
前記エンジェルウイング（３２２）が、第２のターボ機械の動作中に、第２の阻止装置軸方向範囲（４３６）を有する前記第２の阻止装置（４３４）で封止するように構成される、
ステップと、
を含み、
前記軸方向に延びる先端は、前記ターボ機械バケットの回転軸と平行である、
方法。
【請求項２０】
前記修正するステップは、前記軸方向に延びる先端（４２８）が、前記第１の阻止装置軸方向範囲とは異なる前記第２の阻止装置軸方向範囲（４３６）を有する前記第２の阻止装置（４３４）で封止するように構成されるように、前記第１の阻止装置軸方向範囲を有する前記第１の阻止装置に適合するようにサイズ設定された前記エンジェルウイング（３２２）の前記軸方向に延びる先端に材料セクションを取り付けるステップを含む、請求項１９に記載の方法。
【請求項２１】
前記修正するステップは、前記第２の阻止装置軸方向範囲（４３６）を有する前記第２の阻止装置（４３４）で封止するために前記軸方向に延びる先端（４２８）を構成するために前記軸方向に延びる先端（４２８）の一部を除去するステップを含む、請求項１９に記載の方法。
【請求項２２】
前記第２の阻止装置軸方向範囲（４３６）を有する前記第２の阻止装置（４３４）で封止するために、前記軸方向に延びる先端（４２８）を構成するために前記軸方向に延びる先端（４２８）の半径方向の高さを修正するステップをさらに含み、
前記半径方向の高さは、前記軸方向に延びる先端（２２８）に垂直である、
請求項１９に記載の方法。